Podtech/llm-jp-corpus-v4-ja_patent huggingface dataset:
(57)【特許請求の範囲】
【請求項１】
便器に備えられ、便座が取り付けられる収納ボックスを有し、該収納ボックスの側部に操作部が設けられる温水洗浄装置において、前記操作部は、後方領域が一定幅の狭幅部に形成され、前方領域に外側へ膨出する広幅部が形成され、各種スイッチが前記広幅部に設けられていることを特徴とする温水洗浄装置。
【請求項２】
前記操作部における広幅部と狭幅部との境界位置が、便座の後端面の位置とほぼ等しくなるよう設定されている請求項１に記載する温水洗浄装置。
【請求項３】
前記広幅部の幅寸法は、前記狭幅部の幅寸法の１．５〜３倍程度に設定され、前記狭幅部の幅寸法は７０ｍｍを越えないように設定されている請求項１又は２記載する温水洗浄装置。
【発明の詳細な説明】
【０００１】
【発明の属する技術分野】
本発明は、便器に備えられる温水洗浄装置の改良に関する。
【０００２】
【従来の技術】
便器に温水洗浄装置を備えるにあたり、その操作部を便器の側部後方に設置する場合がある。この種の操作部は、普通、各種機器を収納したケースの上面に、装置の入力スイッチ・停止スイッチ・洗浄強さの調節スイッチ等を配した操作パネルを取り付けて成る。
【０００３】
【発明が解決しようとする課題】
前述する温水洗浄装置の操作部は、便器の側方へ突出するため、なるべくケースを小さくすることが望ましい。また、トイレにおける便器の奥側領域には配管等が設置され、室内空間の幅寸法が狭められていることもあるから、上記領域においては特に、温水洗浄装置の操作部ケースは小さい方がよい。
【０００４】
しかしながら、ケース内に収納すべき機器の量はほぼ決まっているため、ケース容積を必要以上に縮小することはできない。そこで、便器側方への突出寸法を小さくするため、ケースを前後に細長く形成することが考えられるが、この場合は、操作パネル上の各種スイッチが前後に長く配列されることになり、後方位置のスイッチは操作がしにくくなる可能性が生ずる。また、温水洗浄装置の多機能化に伴い、ケース内に収納される機器の種類が増えることにより、操作部が大型化する傾向にあるが、このため前記問題点がより顕著化するおそれがある。
【０００５】
【課題を解決するための手段】
本発明に係る温水洗浄装置は、前記課題の解決のため創案したものであって、その特徴とするところは、便器に備えられ、便座が取り付けられる収納ボックスを有し、該収納ボックスの側部に操作部が設けられる温水洗浄装置において、前記操作部は、後方領域に一定幅の狭幅部が形成され、前方領域に外側へ膨出する広幅部が形成され、各種スイッチが前記広幅部に設けられている点にある。なお前記操作部において、広幅部と狭幅部との境界位置は、便座の後端面の位置とほぼ等しくなるよう設定することが望ましい。さらに、前記広幅部の幅寸法は、狭幅部の幅寸法の約１．５〜３倍程度に設定し、狭幅部の幅寸法は最大７０ｍｍを越えないように設定することが望ましい。
【０００６】
【発明の実施の形態】
本発明の一実施形態を図面に基づいて説明する。図１は、本発明に係る温水洗浄装置を備える便器１の全体を示す斜視図である。便座２及び便蓋３が取り付けられる収納ボックス４が便器１の後部上面に設置され、該収納ボックス４内に、温水洗浄装置の主要部が内蔵されている。また操作部１０が、上記収納ボックス４の一側部に取り付けられている。なお、収納ボックス４には便座２のみが取り付けられ、便蓋３は省略される場合もある。
【０００７】
操作部１０は、各種機器を収納するケース１２の上面に各種スイッチを配した操作パネル１１が取り付けられて成るものであり、図２及び図３に示すように、前半領域が広幅部１３、後半領域が一定幅の狭幅部１４となされている。広幅部１３は、平面形状がほぼ半円形に形成され（図２参照）、正面視形状及び側面視形状は楕円球の一部を成す如き形状に形成されている（図３（Ａ）及び（Ｂ）参照）。広幅部１３を設けたことにより、各種スイッチを、操作し易い前半領域に集めることができるので、操作性が向上する。しかも、広幅部１３は面積が比較的大きいので、温水洗浄装置の多機能化に伴うスイッチ数の増加にも対応することが容易である。本実施形態では操作部１０の広幅部１３に、装置の停止スイッチ・洗浄スイッチ・ビデ洗浄スイッチ・ノズル洗浄スイッチ・洗浄強さの調節スイッチ・洗浄擬音発生用の流水音スイッチを設けてある。また、後半領域の狭幅部１４を各種機器の収納部に利用してケース１２の収納容積を確保し得るから、広幅部１３の突出量を抑えることができる。
【０００８】
なお、操作性を考慮すると、操作部１０の広幅部１３と狭幅部１４との境界位置は、便座２の後端面２ａの位置とほぼ等しくなるよう設定し、操作パネル１１の高さレベルは、便座２の高さと同等があるいは若干高めとなるように設定することが望ましい。
【０００９】
さらに広幅部１３の幅寸法Ｗは、狭幅部１４の幅寸法Ｎの約１．５〜３倍程度に設定し、狭幅部１４の幅寸法Ｎは、最大７０ｍｍを越えないように設定することが望ましい。
【００１０】
なお操作部１０の形態は前記に限定されるものではなく、適宜変更することができる。図４に、操作部１０の平面形状の他の例を図示するが、広幅部１３を同図（Ａ）のようにほぼ長方形状としたり、同図（Ｂ）のように等脚台形状としたり、同図（Ｃ）のように直角台形状としたりすることが可能である。その他、本発明は、実施の状況に即して応用することを妨げない。
【００１１】
【発明の効果】
本発明によれば、温水洗浄装置における操作部の前方領域に外側へ膨出する広幅部を形成し、後方領域に一定幅の狭幅部を形成したので、各種スイッチ類を操作の容易な前方側の広幅部に集めることが可能である、その結果、操作性を向上させることができる。また、温水洗浄装置の多機能化に伴うスイッチ数の増加にも対応が容易である。広幅部を形成したことによって狭幅部の幅寸法を従来よりも小さくすることができるから、便器の後部側方に配管等が在った場合に、これとの干渉を避けられるという利点も有している。さらに美観性を損なうことがなく、使用者に対する圧迫感が低減する。後半領域の狭幅部を各種機器の収納部に利用して収納容積を確保し得るから、広幅部の突出量を抑えることができる。
【図面の簡単な説明】
【図１】  本発明の一実施形態に係るものであって、温水洗浄装置を備えた便器を示す斜視図である。
【図２】  本発明の一実施形態に係るものであって、温水洗浄装置の操作部を示す平面図である。
【図３】  本発明の一実施形態に係るものであって、図（Ａ）は温水洗浄装置の操作部の正面図、図（Ｂ）は同操作部の側面図である。
【図４】  本発明の他の実施形態に係るものであって、温水洗浄装置の操作部の平面形状のみを示す平面図である。
【符号の説明】
１…便器  ２…便座  ２ａ…便座後端面  ３…便蓋  ４…収納ボックス
１０…操作部  １１…操作パネル  １２…ケース  １３…広幅部  １４…狭幅部
Ｗ…広幅部の幅寸法  Ｎ…狭幅部の幅寸法
【図１】
0003740653.tif 000002
【図２】
0003740653.tif 000003
【図３】
0003740653.tif 000004
【図４】
0003740653.tif 000005
(57)【特許請求の範囲】
【請求項１】
セル抵抗を有する磁気抵抗メモリ及びセル抵抗の評価装置において、
それぞれのセル抵抗（Ｒ）の第１の端子がスイッチ（ＵＳ）を介してワード線電圧（ＶＷＬ）に接続されており、またそれぞれのセル抵抗の第２の端子が別のスイッチ（Ｓ）を介して線路ノード（Ｌ）に接続されており、
前記線路ノード（Ｌ）は参照抵抗（ＲＲＥＦ）を介して参照電圧源（ＶＲＥＦ）に接続されており、
前記参照抵抗（ＲＲＥＦ）は、異なる情報内容を有するセルからなるセル抵抗の相互接続から形成されており、平均電流（Ｉ￣）の形成に使用され、
前記参照電圧源は線路ノードから流れるそれぞれのセル電流（Ｉ）を平均電流（Ｉ￣）だけ減少させ、
増幅器（ＯＰ１、ＲＧ）がそれぞれのセル電流と平均電流の差異を、評価信号としての電圧（ＶＯＵＴ）に変換することを特徴とする、セル抵抗を有する磁気抵抗メモリ及びセル抵抗の評価装置。
【請求項２】
前記参照抵抗は、異なる情報内容を有するセルの２つのセル抵抗の個々の直列接続か、またはそのような直列接続の並列接続を有する、請求項１記載のメモリ。
【請求項３】
前記参照電圧（ＶＲＥＦ）は前記ワード線電圧（ＶＷＬ）から形成されているか、または反対にワード線電圧は反転電圧増幅器回路を用いて参照電圧から形成されている、請求項１から２のいずれか１項記載のメモリ。
【発明の詳細な説明】
【０００１】
本発明は、参照抵抗を用いて磁気抵抗メモリセル（ＭＲＡＭ）の磁気的に変化する電気抵抗を評価する装置に関する。そのようなメモリセルは典型的に、軟磁性層と硬磁性層を有し、これらの層は電気的に導通しており、またトンネル酸化膜によって互いに分離している。ここでトンネル確率ひいては電気抵抗は両方の層の極性方向に依存している。
【０００２】
そのような装置は、ＵＳ5,173,873により、例えば図４により公知である。この装置では、それぞれの列ごとにただ１つの参照セルの抵抗を利用し、そしてこれによって評価は迅速に且つ僅かな損失電力で行われる。
【０００３】
製造許容差に基づき、セル抵抗はメモリセルフィールド全体にわたっては一定ではなく、そして同じ情報状態に対して評価回路により抵抗から電圧への変換を行った後には、種々異なる出力電圧が生じる。この出力電圧は頻繁に後置接続された判定回路ではもはや正確に分類することが出来なくなる。
【０００４】
本発明が基礎とする課題は、高いオフセット電圧、例えば僅かな電圧レベル及び僅かな損失電力をもつ新たな構成素子にとって重大なオフセット電圧が評価回路において除去される、磁気抵抗メモリにおけるセル抵抗の評価装置を提供することである。
【０００５】
この課題は本発明によれば、請求項１記載の特徴でもって解決される。本発明の有利な実施形態は請求項２に記載されている。
【０００６】
本発明の本質は、セルのそれぞれの情報状態に依存したセル電流が、平均セル電流だけ減少され、そしてこの電流の差異が相応の出力電圧に変換されるということであり、ここでは平均セル電流の形成に、異なる情報内容を有するセルからなるセル抵抗の組み合わせを使用する。
【０００７】
続けて本発明の有利な実施形態を図面の実施例に基づき以下詳細に説明する。
【０００８】
図面は、ビット線ｙ＋２．．．ｙ．．．ｙ−２及びワード線ｘ−２．．．ｘ．．．ｘ＋３のマトリクス状の配置を示し、この配置は磁気抵抗メモリセルフィールドの断面図を表す。
【０００９】
各ビット線と各ワード線との間には、磁気抵抗性の抵抗Ｒが設けられており、この抵抗は通常重なった、そしてトンネル酸化膜によって分離された軟磁性領域及び硬磁性領域から成る。選択された１つのワード線ｘと選択された１つのビット線ｙとの間には選択されたセル抵抗Ｒが存在する。
【００１０】
ワード線の選択ないしアドレッシングは、ここでは例えば切り替えスイッチＵＳ−２．．．ＵＳ＋３を用いて行われ、この切り替えスイッチは順番にそれぞれワード線ｘ−２．．．ｘ＋３のうちの１つに接続されており、それぞれ選択された１つのワード線を介して、ここではワード線ｘを介して、ワード線電圧ＶＷＬに接続され、そして他のワード線を介して基準電位ＧＮＤに接続されている。
【００１１】
ワード線ｘに接続された全てのセル抵抗ではなく、アドレッシングされたビット線ｙに接続されたセル抵抗Ｒだけが共通の線Ｌに導通接続されるように、スイッチＳを除いた全てのスイッチＳ−２．．．Ｓ＋２は開いたままである。
【００１２】
セルフィールドの複数のビット線及びワード線から成る領域に対して、またしかしながら全体のセルフィールドに対して、判定段Ｅの後置接続された評価回路が設けられており、この判定段Ｅは評価回路の出力電圧ＶＯＵＴから相応のデータレベルＤを形成する。
【００１３】
本来の評価回路は演算増幅器ＯＰ１を有し、その出力側は出力電圧ＶＯＵＴを通しまた帰還抵抗ＲＧを介して反転入力側に帰還されており、そして演算増幅器ＯＰ１の非反転入力側は基準電位に接続されている。演算増幅器ＯＰ１の反転入力側は集合線路Ｌに接続されており、このことによってこの実施例においては、ワード線電圧ＶＷＬは切り替えスイッチＵＳ、選択されたセル抵抗Ｒそして閉じられたスイッチＳを介して反転入力側に接続されており、線路Ｌから相応のセル電流Ｉが流れる。セル抵抗Ｒは記憶された情報に依存しており、また以下のように表すことができる。
Ｒ＝Ｒ−*（１±ｄ）
ここでＲ−は抵抗の平均値であり、ｄは情報に依存した相対的な抵抗の変化であり、この抵抗の変化は例えば数パーセントのオーダーである。本発明では、電流Ｉから平均電流Ｉ−が引かれ、そして抵抗ＲＧを介した帰還演算増幅器ＯＰ１の反転入力側に電流差異Ｉ−Ｉ−だけが到達する。平均電流Ｉ−は参照抵抗ＲＲＥＦ及び参照電圧ＶＲＥＦから形成されており、電圧ＶＲＥＦはワード線電圧ＶＷＬとは異なった符号を有する。参照抵抗ＲＲＥＦ及び参照電圧ＶＲＥＦは、セル抵抗Ｒ＝Ｒ−及びワード線電圧ＶＷＬであれば電流ＩがＩ−に等しくつまり出力電圧ＶＯＵＴが零になるように設計されなければならない。
【００１４】
ここで参照電圧ＶＲＥＦは、有利には通常の反転演算増幅器を用いてワード線電圧ＶＷＬに依存して形成することができるが、しかしながらまた反対にワード線電圧ＶＷＬはこのやり方で設定された参照電圧ＶＲＥＦから形成することもできる。
【００１５】
参照抵抗ＲＲＥＦは有利には、セル抵抗と同じ材料から形成されるべきであろう。セル抵抗と同じ参照抵抗ＲＲＥＦの幾何学的配置では、抵抗Ｒ＝Ｒ−*（１±ｄ）だけが使用可能であり、平均値Ｒ−は使用できない。このために簡単な事例においては、論理値１が記憶されている１つのセルのセル抵抗と論理値０が記憶されている１つのセルのセル抵抗が直列に接続されており、このことは、２*Ｒ−の値を有する参照抵抗を供給し、相応の参照電圧ＶＲＥＦが必要となる。そのような２つの直列接続の並列接続によって、参照抵抗ＲＲＥＦ＝Ｒ−を簡単なやり方で形成することができる。可能な限り多くのセルにとって最適である平均値を得るために、別のそのよう直列接続を並列に接続することができる。このことによって参照抵抗及び相応にこのために必要とされる参照電圧も低くなる。
【図面の簡単な説明】
【図１】  磁気抵抗メモリのセルフィールドの断面図である。
0003740369.tif 000002
(57)【特許請求の範囲】
【請求項１】
モータ(2)に接続された回転検出器(1)のケース(4)に形成されたケース用支柱(5)を固定配置の取付体(6)に作動自在な状態で支持するようにした回転検出器取付構造において、前記取付体(6)の取付用支柱(10)は断面円形状よりなると共に、前記取付体(6)をなすフランジ形玉軸受けユニット(11)によって傾動自在に構成され、前記ケース用支柱(5)の凹部(5a)が前記取付用支柱(10)に対して二軸方向移動自在に設けられている構成よりなることを特徴とする回転検出器取付構造。
【発明の詳細な説明】
【０００１】
【発明の属する技術分野】
本発明は、回転検出器取付構造に関し、特に、モータのモータ軸の変位に応じて変化する回転検出器の変位を吸収し、検出精度の低下を防止するための新規な改良に関する。
【０００２】
【従来の技術】
従来、用いられていたこの種の回転検出器取付構造としては、図５から図６で示す構成が採用されていた。
すなわち、図５において符号１で示されるものはモータ２のモータ軸３に接続された回転検出器であり、この回転検出器１は、周知のレゾルバ又はエンコーダで構成されており、この回転検出器１のケース４に形成されたケース用支柱５は、図示しない固定側に固定配置の取付体６の凹部６ａ内に作動自在な状態で支持されている。
前記ケース用支柱５は、図６で示すように断面四角形で構成されており、このケース用支柱５と凹部６ａとは、図７に示すように、上下方向のＹ方向軸振れ許容量ＹK及び横方向のＸ方向軸振れ依存量ＸK並びに図５で示すＺ方向のＺ方向軸振れ許容量ＺKを有するように構成されている。
従って、モータ２のモータ軸３の変位に応じてケース用支柱５が取付体６に対しＸ，Ｙ，Ｚ方向に逃げることにより、滑りによって変位が吸収され、ケースのつれ回りを防止している。
【０００３】
【発明が解決しようとする課題】
従来の回転検出器取付構造は、以上のように構成されているため、次のような課題が存在していた。すなわち、Ｘ方向の許容変位を大きくしようとするとケース用支柱と凹部との隙間を大きくする必要があり、回転方向におけるバックラッシュ量が大きくなり、検出角にずれが生じると共に、モータ軸の回転中の振動が回転検出器に発生し、検出精度が低下することになっていた。また、この隙間を小さくしすぎると、隙間以上の変位が発生した場合には、ケース用支柱が破損することになっていた。
また、Ｚ方向の変位を吸収するためには、ケース用支柱と取付体の平行度を隙間以下に抑える必要があり、取付現場で行うことは難しい作業であった。
【０００４】
本発明は、以上のような課題を解決するためになされたもので、特に、モータのモータ軸の変位に応じて変化する回転検出器の変位を吸収し、検出精度の低下を防止するようにした回転検出器取付構造を提供することを目的とする。
【０００５】
【課題を解決するための手段】
本発明による回転検出器取付構造は、モータに接続された回転検出器のケースに形成されたケース用支柱を固定配置の取付体に作動自在な状態で支持するようにした回転検出器取付構造において、前記取付体の取付用支柱は断面円形状よりなると共に、前記取付体をなすフランジ形玉軸受けユニットによって傾動自在に構成され、前記ケース用支柱の凹部が前記取付用支柱に対して二軸方向移動自在に設けられている構成である。
【０００６】
【発明の実施の形態】
以下、図面と共に本発明による回転検出器取付構造の好適な実施の形態について述べる。なお、従来と同一又は同等部分には、同一符号を付して説明する。
図１から図４において符号１で示されるものはモータ２のモータ軸３に接続された回転検出器であり、この回転検出器１は、周知のレゾルバ又はエンコーダで構成されており、この回転検出器１のケース４に形成されたケース用支柱５は、図示しない固定側に固定配置の取付体６に作動自在な状態で支持されている。
【０００７】
前記ケース用支柱５は、図２及び図４で示すように、凹部５ａを有すると共に、この凹部５ａ内には、図示しない固定側に固定配置の取付体６の取付用支柱１０が作動自在に嵌合している。
前記凹部５ａは直径方向に形成されていると共に、前記取付用支柱１０は図３で示すように断面形状が円筒（又は円柱）状に構成され、この取付用支柱１０は、前記取付体６を構成する周知のフランジ形玉軸受けユニット１１の内輪１１ａに一体結合されている。この凹部５ａと取付用支柱１０とは、上下方向のＹ方向軸振れ許容量ＹK、横方向のＸ方向軸振れ許容量ＸK、Ｚ方向のＺ方向軸振れ許容値ＺKを有すると共にフランジ形玉軸受けユニット１１の作用により、前記取付用支柱１０は、Ｘ方向軸振れ許容量ＸKとして３６０度方向において所定の角度範囲θで自在に傾動するように構成されている。
【０００８】
従って、前述の構成においてモータ軸３にＸ，Ｙ，Ｚの３軸方向の変位が発生した場合、取付用支柱１０の傾動によるＸ方向軸振れ許容量ＸK，Ｙ方向軸振れ許容量ＹK及びＺ方向軸振れ許容量ＺKによって３軸方向の振れによる変位を吸収し、回転検出器１のつれ回りを防止し、高精度の回転検出信号を得ることができる。
【０００９】
【発明の効果】
本発明による回転検出器取付構造は、以上のように構成されているため、次のような効果を得ることができる。すなわち、回転止めに使用するフランジ形玉軸受けユニットは、内部に組み込まれているベアリングセンタを中心に取付用支柱が傾動し、回転する機能となっているため、Ｘ方向にモータ軸が変位すると、この取付用支柱を中心に傾動して回転止めの作用が得られ、モータ軸の変位を柔軟に吸収することができる。
また、この取付用支柱の断面が円形であるため、回転止めであるフランジ形玉軸受けユニットを地上又は基台側に設置する際に、モータ軸端面との直角度を無視して設置でき、セッティングが従来よりも容易となる。
【図面の簡単な説明】
【図１】本発明による回転検出器取付構造を示す構成図である。
【図２】図１の左方からみた構成図である。
【図３】図１のＡ−Ａ断面図である。
【図４】図２のＢ−Ｂ断面図である。
【図５】従来の構成を示す構成図である。
【図６】図５のＡ−Ａ断面図である。
【図７】図５の左方よりみた構成図である。
【符号の説明】
１    回転検出器
２    モータ
４    ケース
５    ケース用支柱
５ａ    凹部
６    取付体
１０    取付用支柱
【図１】
0003740764.tif 000002
【図２】
0003740764.tif 000003
【図３】
0003740764.tif 000004
【図４】
0003740764.tif 000005
【図５】
0003740764.tif 000006
【図６】
0003740764.tif 000007
【図７】
0003740764.tif 000008
(57)【特許請求の範囲】
【請求項１】
筆記具の軸筒やキャップの外周面に取り付けられる筆記具用飾りリングであって、
金属製リングの両端内面に円環状の肉厚部が形成されて断面形状が略コ字形であり、該肉厚部以外の部分に打ち抜き模様が形成されたことを特徴とする筆記具用飾りリング。
【発明の詳細な説明】
【０００１】
【発明の属する技術分野】
本発明は、筆記具の軸筒やキャップの外周面に取り付けられる筆記具用飾りリングに関するものである。
【０００２】
【従来の技術】
筆記具は意匠的要素が重要視される商品であり、高級筆記具においては、軸筒やキャップの外周面に飾りリングを取り付けて高級感を強調することがしばしば行われる。この飾りリングは通常、ステンレスや真鍮などの金属板を所定幅のリングに成形したものであり、飾りリングの質感を合成樹脂で成形された軸筒やキャップと異ならせるとともに、場合によっては、その表面に模様を刻印して強い印象を与えるようにしたものが多い。
【０００３】
【発明が解決しようとする課題】
しかし、飾りリングの表面に模様を刻印したものは立体感がやや乏しい問題点があるので、飾りリングに形状が異なる貫通孔を多数形成し、この貫通孔の集合により模様を形成する打ち抜き模様を設けることが考えられる。そして、この打ち抜き模様は飾りリングの板厚が厚いほど立体感と高級感が出る。しかし、打ち抜き模様の貫通孔を打ち抜き作業などで形成するとき、飾りリングの板厚が厚いと形成作業が困難になる不具合がある。
【０００４】
そこで本発明は、立体感と高級感に富み、かつ打ち抜き模様の形成が容易である筆記具用飾りリングを提供することを目的とする。
【０００５】
【課題を解決するための手段】
かかる目的を達成するために、本発明は、筆記具の軸筒やキャップの外周面に取り付けられる筆記具用飾りリングにおいて、金属製リングの両端内面に円環状の肉厚部を形成して断面形状を略コ字形にし、肉厚部以外の部分に打ち抜き模様を形成する。
【０００６】
【発明の実施の形態】
以下に、図面に基づいて本発明の実施の形態を具体的に説明する。図１は本発明の飾りリングをキャップの合口側先端部に取り付けた例を示し、図２は要部の断面図である。図１及び図２において、合成樹脂で成形されたキャップ本体２０の内部には内蓋３０が配置されており、内蓋２０の先端部はキャップ本体２０の先端部から延び出している。そして、筒状の保持部材４０の内面には第１凸部４１が形成されており、この第１凸部４１が内蓋３０の凹部３１に嵌め込まれることにより、保持部材４０はキャップ本体２０の先端に固定されている。先端リング５０は保持部材４０の先端に圧入され、保持部材４０の表面に形成された第２凸部４２が先端リング５０の内面に食い込むことによりしっかりと固定されている。そして、先端リング５０と保持部材４０の段部４３により飾りリング１０が挟圧保持されている。
【０００７】
飾りリング１０は、例えば、一般肉厚が０．２５ｍｍ、幅が４．５ｍｍのステンレス板によりリング状に成形されたものであり、内面両端には、肉厚が０．３５ｍｍの円環状の肉厚部１１が形成されている。つまり、飾りリング１０は断面形状が略コ字形をしており、外見上は一般肉厚が厚いステンレス板で成形されているように見える。そして、肉厚部１１以外の部分に、つまり、肉厚の薄い部分に略２等辺三角形および略菱形をした貫通孔１２が打ち抜きにより多数形成されており、こられの貫通孔１２を規則的に配置することにより打ち抜き模様が形成されている。そして、貫通孔１２を通して見える保持部材４０の色調と飾りリング１０の色調のコントラストにより打ち抜き模様は立体的な美しい模様になっている。
【０００８】
このように、貫通孔１２を飾りリング１０の肉厚が薄い部分に形成するので打ち抜き作業などを容易に行うことができるが、外見上は肉厚に見えるので、貫通孔１２は深く見えて立体感が強調され、高級感に富んだ飾りリング１０とすることができる。
なお、模様を構成する１個の貫通孔１２の表面積をあまり大きくすると、斜め方向から飾りリング１０を見たときに、飾りリング１０と保持部材４０の隙間が強調されて見えるので、この隙間がほとんど見えない程度の大きさの貫通孔１２にする必要がある。
【０００９】
【発明の効果】
以上説明したように、本発明は、筆記具の軸筒やキャップの外周面に取り付けられる筆記具用飾りリングにおいて、金属製リングの両端内面に円環状の肉厚部を形成して断面形状を略コ字形にし、肉厚部以外の部分に打ち抜き模様を形成するので、立体感と高級感に富み、かつ打ち抜き模様の形成が容易である筆記具用飾りリングとすることができる。
【図面の簡単な説明】
【図１】本発明実施例の正面図である。
【図２】本発明実施例の要部の断面図である。
【符号の説明】
１０    飾りリング
１１    肉厚部
１２    貫通孔
２０    キャップ本体
３０    内蓋
３１    凹部
４０    保持部材
４１    第１凸部
４２    第２凸部
４３    段部
５０    先端リング
【図１】
0003822519.tif 000002
【図２】
0003822519.tif 000003
(57)【特許請求の範囲】
【請求項１】
底壁５周縁部より周壁６を立設した容器体２と、容器体底壁５上に引き上げ可能な状態で載置した底板８の上面より掴み棒９を立設するとともに、底板８上の容器体２内に充填した豆腐Ａ上面より掴み棒９先端を突出して装着した中皿３と、容器体２上面に周縁部を剥離可能に融着固定させた蓋板４とを備えてなることを特徴とする豆腐容器。
【発明の詳細な説明】
【０００１】
【発明の属する技術分野】
本発明は豆腐容器に関する。
【０００２】
【従来の技術】
豆腐は一般に、底壁周縁部より周壁を立設してなる合成樹脂製の容器体内に収納し、容器体上面に合成樹脂製の蓋板周縁部をヒートシール等の方法で剥離可能に融着固定した容器を用いて販売されている。
【０００３】
これら容器に収納した豆腐は、例えば、蓋板を容器体から剥がした後、容器体内に浮きだした水を切り、要すれば適当な大きさに切断して皿等に盛りつけている。従って、水切りの際には豆腐を押さえつつ容器体を傾けて行ったり、或いは盛った皿上の豆腐を押さえつつ皿を傾けて行っており、充分な水切りを行い難く、また豆腐を崩し易い。また、切断に際しては、皿等に盛り付ける前に手に持ったり、或いはまな板上に載置したりして切断を行うため豆腐が崩れ易い。
【０００４】
【発明が解決しようとする課題】
本発明はこの様な点を考慮してなされたもので、水切りを容易に行えるとともに、豆腐に接触しないでしかも皿上への取り出しが極めて容易に行え、豆腐が不用意に崩れることのない優れた豆腐容器を提案するものである。
【０００５】
【課題を解決するための手段】
本請求項１発明の容器は上記課題を解決するため、底壁５周縁部より周壁６を立設した容器体２と、容器体底壁５上に引き上げ可能な状態で載置した底板８の上面より掴み棒９を立設するとともに、底板８上の容器体２内に充填した豆腐Ａ上面より掴み棒９先端を突出して装着した中皿３と、容器体２上面に周縁部を剥離可能に融着固定させた蓋板４とを備えてなることを特徴とする豆腐容器として構成した。
【０００６】
【発明の実施の形態】
以下、本発明の実施例の形態を図面を参照して説明する。
【０００７】
本発明の豆腐容器１は、容器体２と、中皿３と、蓋板４とを備えている。
容器体２は合成樹脂等により形成されたもので、底壁５周縁部より周壁６を立設した上端面開口のカップ状をなしており、周壁６上端縁より外方へフランジ７を延設している。また、豆腐及び中皿３の抜き出しを容易に行うために、周壁６を上方へ行くに従って広がるテーパ状に形成している。
【０００８】
中皿３も合成樹脂等により形成されたもので、収納した豆腐Ａを崩さずに取り出すために、また、容器体内の水を容易に排水するため等に設けたものであり、容器体底壁５上に引き上げ可能な状態で載置した底板８の上面より容器体２内上部に至る掴み棒９を立設するとともに、底板８上の容器体２内に充填した豆腐Ａ上面より掴み棒９先端を突出して装着している。
【０００９】
底板８は、上方への引き上げが可能な大きさであれば、その大きさ形状を種々選択できるが、容器体底壁５上面と略同形状，同大きさのものが好ましく、図示例では、容器体底壁５と略同径の円板状をなしている。
【００１０】
また、底板８には窓孔10を穿設すると良い。この窓孔10を設けることにより、容器体底壁５上面と底板８下面との接触面積を減少し、中皿３の抜き出しをより容易に行える如く構成している。また、掴み棒９は、その上面を押さえて水切りを行うためのものであり、その先端を掴んで中皿３を引き上げるためのものであり、先端は抜き出しの際に掴み易いように球状に形成している。
【００１１】
蓋板４は、合成樹脂の単独フィルム或いはシート，或いはこれら相互の積層体，或いは合成樹脂フィルム或いはシートと金属薄膜層との積層体等を所定形状に裁断して形成したもので、容器体２にヒートシール等の方法により融着可能なものが使用される。
【００１２】
図示例では、容器体２のフランジ７上面に周縁部を剥離可能に融着固定した円板状をなし、側縁一部より指掛け片11を一体に突設している。
【００１３】
上記した如き豆腐容器１を使用する場合には、例えば、図１に示す状態から指掛け片11を持って蓋板４を剥離し、次いで掴み棒９の先端を指先で押さえつつ容器体２を傾けて豆腐Ａ上に浮き出した水を排除し、次いで掴み棒９の先端部を掴んで引き上げ、図５に示す如く、別に用意した皿12上に載置して盛り付けることができ、そのまま食することができる。
【００１４】
【発明の効果】
以上説明した如く本発明の豆腐容器は、既述構成としたことにより、使用に当たり掴み棒先端部分を押さえて容器体を傾ければ水切りを容易且つ充分に行える。
【００１５】
また、容器体から豆腐を取り出す際には掴み棒先端部を掴んで持ち上げれば良いため、豆腐に接触しないでの取り出しを行え、そのまま皿上へ載置すれば良いため、豆腐の破損を生じることなく極めて容易に移し替えることができる。
【図面の簡単な説明】
【図１】本発明の一実施例を示す斜視図である。
【図２】同実施例のＢ−Ｂ線に沿う縦断面図である。
【図３】同実施例の中皿を示す斜視図である。
【図４】同実施例の蓋板を取り外した状態の斜視図である。
【図５】同実施例の取り出した豆腐付き中皿を盛り付けた際の斜視図である。
【符号の説明】
２…容器体，３…中皿，４…蓋板，５…底壁，６…周壁，８…底板，
９…掴み棒，Ａ…豆腐
【図１】
0003822392.tif 000002
【図２】
0003822392.tif 000003
【図３】
0003822392.tif 000004
【図４】
0003822392.tif 000005
【図５】
0003822392.tif 000006
(57)【特許請求の範囲】
【請求項１】
サケ卵をボーメ度が25度の食塩水に浸漬してサケ卵加工食品を製造する方法において、該溶液の温度を35〜45℃に設定することを特徴とするサケ卵加工食品の製造方法。
【請求項２】
サケ卵を、ボーメ度が25度の食塩水に有機酸、有機酸塩、糖および糖アルコールからなる群から選ばれる少なくとも一種をさらに添加した溶液に浸漬することを特徴とする、請求項１記載のサケ卵加工食品の製造方法。
【請求項３】
有機酸、有機酸塩、糖および糖アルコールからなる群から選ばれる少なくとも一種を、前記溶液のボーメ度が26〜36度になる添加量にて添加することを特徴とする請求項２記載のサケ卵加工食品の製造方法。
【請求項４】
浸漬時間が、3〜20分であることを特徴とする請求項１〜３のいずれか１項記載のサケ卵加工食品の製造方法。
【発明の詳細な説明】
【０００１】
【発明の属する技術分野】
本発明は、筋子やイクラなどサケ卵加工食品を製造する方法に関する。
【０００２】
【従来の技術】
筋子、イクラの製造工程は、一般に採卵、一次洗浄、塩漬、二次洗浄、あんじょう、箱詰、熟成に分けられる。このうち塩漬工程は、水分活性を低減させ保存性の向上とともに味やテクスチャーを調整する重要な工程である。
従来、筋子、イクラの味やテクスチャーなどの良い品質の物を得るためには、塩漬時間を変えることで行われてきた。しかしながら、近年の嗜好トレンドである低塩の筋子、イクラを製造するには、塩漬時間を調整するだけでは、脱水が不十分であったり、卵のはりや卵黄粘度が不足し、品質の良い製品を作ることはできなく、また、鮮度落ち卵や凍結卵といった低級卵では卵膜の劣化により塩の入りがよく、このような原料を使って低塩の筋子、イクラを作ることは困難である。
【０００３】
低塩の筋子、イクラを製造する方法として、吸水性高分子により脱水し、低塩化を図る方法（特開昭61-170370 号公報）が開示されているが、この方法では、工程が煩雑になり、コスト高になるという問題がある。
また、リンゴ酸ナトリウムを主溶質とし塩化ナトリウム等を併用して脱水を促進して低塩化を図る方法（特開昭60-184369 号公報）が開示されている。この方法では、味や自然な口当たりが悪くなるという欠点がある。
【０００４】
【発明が解決しようとする課題】
本発明は、上記の背景のもとに、新鮮な生卵及び低級卵において効率的に短時間で脱水し、よく締まった低塩の筋子およびイクラの製造技術の提供を目的とする。
【０００５】
【課題を解決するための手段】
本発明者は、上記課題を解決するため鋭意研究の結果、原卵を塩漬する際に浸漬溶液の温度を15〜45℃に設定することで、浸漬溶液のもつ浸透圧をさらに上昇させ、卵黄を効率的に短時間に脱水させることができることを見出し、本発明を完成した。
即ち、本発明は、サケ卵を食塩水中に浸漬してサケ卵加工食品を製造する方法において、該食塩水の温度を15〜45℃に設定することを特徴とするサケ卵加工食品の製造方法である。
【０００６】
【発明の実施の形態】
本発明のサケ卵加工食品の製造方法は、サケ卵を浸漬する食塩水の温度を従来よりも高い温度、即ち、15〜45℃、より好ましくは25〜35℃に設定することを特徴とする。ここでいう「サケ卵加工食品」は、主に筋子及びイクラを意味するものである。また、「サケ卵加工食品」には、サケ類の卵から作られた筋子やイクラのほか、マス類の卵から作られた筋子やイクラも含まれる。
【０００７】
浸漬溶液は、食塩のみを含むものでもよいが、他に有機酸、有機酸塩、糖及び糖アルコールからなる群から選ばれる少なくとも一種を含んでもよい。有機酸としては、リンゴ酸、クエン酸、コハク酸等を挙げることができ、有機酸塩としては、リンゴ酸ナトリウム、クエン酸ナトリウム、コハク酸ナトリウム等を挙げることができ、糖としては、グルコース、フルクトース、キシロース等を挙げることができ、糖アルコールとしては、ソルビトール、マンニトール、キシリトール等を挙げることができる。有機酸等の添加量は、特に限定されないが、浸漬溶液中に存在する食塩と有機酸等によりボーメ度が26〜36度になるように添加するのが好ましい。
【０００８】
浸漬時間は、特に限定されないが、イクラでは４〜10分とするのが好ましく、６〜８分とするのが更に好ましい。筋子では10〜20分とするのが好ましく、12〜17分とするのが更に好ましい。
【０００９】
【実施例】
〔実施例１〕  イクラの製造
ボーメ度を25度に調整した食塩水に、国内産のシロザケの生卵、７〜10℃で一晩放置した卵（鮮度落ち卵）、−18℃で凍結した後解凍した卵（冷凍卵）の３種類のバラ化した卵を７分間浸漬し、その後十分に熟成し、イクラを製造した。食塩水の温度は、５℃（従来温度）、15℃、35℃、及び45℃の４種類設定した。得られたイクラの卵黄粘度を表１に、塩分含量及び水分含量を表２に示す。また、イクラの硬さと味の官能評価の結果を表３に示す。なお、卵黄粘度の測定は、卵粒を網の目1.0mm 四方の金網上でつぶして卵黄を抽出し、これをＥ型粘度計を使用して行った。このときの温度条件は20℃、ローターは１°34′×R24 を使用し、回転数は0.5 〜５回転／分の範囲とした。
【００１０】
【表１】
0003822335.tif 000002
【００１１】
【表２】
0003822335.tif 000003
【００１２】
【表３】
0003822335.tif 000004
【００１３】
〔実施例２〕  筋子の製造
食塩水への浸漬時間を15分間とした以外は、実施例１と同様の塩漬方法で国内産のシロザケの卵巣から筋子を製造した。得られた筋子の卵黄粘度を表４に、塩分含量及び水分含量を表５に示す。また、イクラの硬さと味の官能評価の結果を表６に示す。
【００１４】
【表４】
0003822335.tif 000005
【００１５】
【表５】
0003822335.tif 000006
【００１６】
【表６】
0003822335.tif 000007
【００１７】
〔実施例３〕  イクラの製造
ボーメ度が25度の食塩水にボーメ度が26〜36度の範囲になるようにリンゴ酸ナトリウム又はソルビトールを加えた。この溶液に、国内産のチャムの生卵、鮮度落ち卵、冷凍卵の３種類のバラ化した卵を７分間浸漬し、その後十分熟成してイクラを製造した。食塩水の温度は、５℃（従来温度）と35℃の２種類設定した。得られたイクラの卵黄粘度を表７に示す。
【００１８】
【表７】
0003822335.tif 000008
【００１９】
〔実施例４〕  筋子の製造
食塩水への浸漬時間を13分間としたこと以外は、実施例１と同様の塩漬方法で、ベニザケの卵巣から筋子を製造した。得られた筋子の卵黄粘度を表８に示す。
【００２０】
【表８】
0003822335.tif 000009
【００２１】
【発明の効果】
本発明は、サケ卵加工食品の新規な製造方法を提供する。この製造方法は、急速な脱水を促進するため、従来よりも製造時間を短縮することが可能である。従って、短時間の浸漬により、低塩でよく締まった口当たりのよい品質のイクラや筋子を製造することができる。
(57)【特許請求の範囲】
【請求項１】
ミニショベルのアーム先端に、本来のバケットを取り外した状態で、アタッチメントを介して、樹木の種類によりＵ字型又は縦コの字型又はＶ字型に形成された掘取り器具の片方の腕部先端を取り付ける構造において、
前記のＵ字型又は縦コの字型又はＶ字型の両腕部の両先端まで先広がりに開いていること、
前記の両腕部中の片方の腕部は他方の腕部より長く伸びて取付け腕部を構成し、その先端が前記アタッチメントへの取付け部となっていること、
前記ミニショベルのアーム先端に取付けるアタッチメントの外端に設けた、前記取付け腕部の取付け部を、前記アタッチメントが水平の状態において、前記取付け腕部の先広がりに開いた先端と同じ角度に傾斜させることによって、掘り取られた樹木が前記アタッチメント外端から遠ざかるように構成されていること、
を特徴とする樹木掘取り器具。
【請求項２】
前記のＵ字型又は縦コの字型又はＶ字型に形成された掘取り器具は、鉄板の両サイドに刃が施されていることを特徴とする請求項１に記載の樹木掘取り器具。
【発明の詳細な説明】
【０００１】
【発明の属する分野】
この発明は、Ｕ字状・縦コの字及びＶ字状に加工した鉄板の両端に刃を取り付けた物をアタッチメントを介してミニショベルのアーム先端に取り付け、植物の根切り堀取りをする器具に関するものである。
【０００２】
【従来の技術】
観葉植物などは樹高が１．２メートルから２．５メートル程度に生長した樹木を堀取っていく。生産性を上げるため畑では密植されている。そのため樹間が人一人が入って作業できる範囲と極めて狭いためミニショベルなどの類似の建設機械等を入れることは困難で、自ずと人手での堀取り作業となる、作業方法としてまずスコップで樹木の周囲を堀取り作業が出来る様に直径６０ｃｍ程度のドーナツ状に掘り、その後専用の根切り道具で根を切断し半球型に堀上げ直径２０ｃｍ〜３０ｃｍに成形する作業を繰り返す。
【０００３】
【発明が解決しようとする課題】
上記したように密植された畑では既存の建設機械での堀取りは困難で人手に依る堀取り取り作業を強いられ作業効率や生産性も悪かった。そのため密植された畑で周りの樹木を傷つけず、時速且つ簡単な装置で堀取りが出来ないかとの現場の要望に答えるために発明されたのである。
【０００４】
【課題を解決するための手段】
いまその構成を説明する。
▲１▼図２に示すようにアタッチメント３に堀取り器具４を取付ける。
▲２▼図１のミニショベルのアーム２に取り付けられている本来のバッケトを取り外し本発明の堀取り器具を取り付ける。
【０００５】
【発明の実施の形態】
ミニショベルのアーム先端部の既設バッケトの代わりに取り付けられた堀取り器具は鉄板の両サイドに鋼の刃が施されている。図２のＡタイプ（Ｕ字）、Ｃタイプ（Ｖ字）は主に鉢植え用の樹木を堀取りに使用する。Ｂタイプ（縦コの字）は根鉢等、根を大きく残すときに使用する。その他作業状況によって堀取り器具の形状を変えて堀取りをする。既存のバッケトで土を掬う要領で堀取り器具を操作する事で堀取り作業ができ、密植されている畑でも土壌の掘削と樹木の根の掘削が同時に行え、堀取作業の目的は達することが出来る。
【発明の効果】
堀取り器具の巾が約６３０ｍｍと作業範囲も畦の巾程度で作業ができ、樹木の根を手前からすくい取る様に堀上げるため堀取った樹木の根に余計な土が付かず、堀上げた後の根の形成作業も省略できるため作業工程も短縮でき周りの樹木にも傷を付けず短時間で堀取ることが出来る。
【図面の簡単な説明】
【図１】取付状況図
【図２】姿図
【図３】平面図、断面図
【符号の説明】
１・・ブーム、２・・アーム、３・・アタッチメント、４・・堀取り器具
【図１】
0003822026.tif 000002
【図２】
0003822026.tif 000003
【図３】
0003822026.tif 000004
(57)【特許請求の範囲】
【請求項１】
ＬＴＢＲとイムノグロブリンとの融合タンパク質からなる腫瘍血管新生を阻害するための薬剤。
【発明の詳細な説明】
【０００１】
本発明は、リンホトキシン−β受容体（ＬＴＢＲ）によって媒介される活性化を抑制することにより、炎症、自己免疫疾患、および腫瘍成長を予防する方法に関する。
【０００２】
膜タンパク質リンホトキシン−β（Browining et al., Cell Vol. 72, 847〜856, 1993）は、ホモメリックおよびヘテロメリック形で特異的リンホトキシン−β受容体（ＬＴＢＲ）（Crowe et al., Science Vol. 264, 29 April 1994, 707〜709）に結合する。
【０００３】
Ｂｒｏｗｎｉｎｇ等（J. Exp. Med. Vol. 183, March 1996, 867〜878）は、ＬＴＢＲ系を介したシグナル伝達が、ある種の腺癌の腫瘍細胞を細胞死に至らしめることを記載している。すなわち、ＬＴＢＲの活性化が抗癌治療に有効であることを示唆している。
【０００４】
Ｄｅｇｌｉ−Ｅｓｐｏｓｔｉ等（Journal of Immunology, 1997, 158: 1756〜1762）は、メラノーマ細胞の増殖がＬＴＢＲ系の活性化により抑制されることを記載している。従って、固形癌をリンホトキシン−βで治療することも示唆している。
【０００５】
これに対し本発明では、ＬＴＢＲ活性化を抑制することにより、腫瘍成長を減速したり防止したりできることを見出した。
【０００６】
本発明の課題は、従って、ＬＴＢＲ媒介活性化を抑制または少なくとも低下させることにより、炎症、自己免疫疾患および腫瘍成長を予防する方法である。
【０００７】
この方法は特に急性および慢性の炎症、例えばリウマチ様関節炎または大腸炎ならびに固形癌に特に適している。
【０００８】
ＬＴＢＲ系は様々なレベルで抑制され得る。
【０００９】
例えば、アンチセンス分子を用いてＬＴＢＲ遺伝子発現を抑制できる。さらにＬＴＢＲのｍＲＮＡを、例えば好適なリボザイムで特異的に加水分解して分解することにより、ＬＴＢＲ遺伝子発現を特異的に抑制することも可能である。
【００１０】
また、相当の転写シグナル配列、例えばＬＴＢＲ遺伝子のプロモーター領域を遮断することによりＬＴＢＲ遺伝子発現を抑制することもできる。
【００１１】
この他に、リンホトキシン−β拮抗剤、すなわちＬＴＢＲには結合できるが受容体系の活性化には影響を及ぼさない分子を使用して、ＬＴＢＲ系の活性化を抑制してもよい。このような物質は、リンホトキシン−βの添加下にＬＴＢＲ系の活性化を減弱できる能力について、細胞内実験システムにより物質を試験することにより、見出すことができる。
【００１２】
本発明の別の課題は、細胞増殖抑制剤および炎症−阻害剤を製造するために、ＬＴＢＲ媒介活性化を抑制できる物質を使用することである。
【００１３】
ＬＴＢＲ活性化の抑制が腫瘍血管新生の阻害に効果的であるので、固形癌の成長に対する阻害効果を有することが明かになった。
【００１４】
従って、前記薬剤および方法によるＬＴＢＲ活性化の抑制は、特に腫瘍血管新生の抑制に好適である。
【００１５】
以下の実施例により本発明を説明する。
【００１６】
実験１
腫瘍細胞（ＢＦＳ−１）をＬＴＢＲとイムノグロブリンとの融合タンパク質でトランスフェクトした（ＢＦＳ−ＬＴＲ）。このＬＴＢＲとイムノグロブリンとの融合タンパク質は、ＬＴＢＲインヒビターとして機能する。野生株の腫瘍細胞と比較して、これらのトランスフェクト腫瘍細胞は、同系のマウスに導入された場合に、腫瘍成長の阻害を示した（図）。
【００１７】
実験２
第２の実験では、これらの腫瘍細胞をリガンド−欠損マウス（すなわちリンホトキシンαもリンホトキシンβも製造しないダブルノックアウトマウス）に投与したところ、トランスフェクト腫瘍細胞と野生株腫瘍細胞の腫瘍成長には大きな違いが見られなかった。
【００１８】
実験３
生体内顕微鏡法によるマウスの腫瘍成長の観察
そのままの腫瘍細胞またはＬＴβ−受容体インヒビター（ＢＳＦ−１−ＬＴβＲ−ＩＧ：Ｆｃ）またはコントロールプラスミド（ｐ５５ＴＮＦ−受容体−Ｉｇ：Ｆｃ）をトランスフェクトした腫瘍細胞をマウス（Ｃ５７ＢＬ／６）のスキンチャンバーへ皮下投与し、腫瘍細胞増殖または血管新生について、生体内顕微鏡法（intravital microscopy）により観察した。腫瘍細胞導入後２日目に浮腫が形成されるが、ＬＴβ受容体インヒビターをトランスフェクトされた腫瘍細胞を導入された動物の方がコントロールよりもかなり小さい。そのままの腫瘍細胞とコントロール構造物でトランスフェクトした腫瘍細胞は、５〜９日後で明かに血管新生を誘導しており、それに伴い腫瘍へ成長していくが、ＬＴβ−受容体インヒビターをトランスフェクトした腫瘍では、皮膚の腫瘍領域およびその周辺で血管新生は見られなかった。このような腫瘍はそれ以上増殖することもない。
【図面の簡単な説明】
【図１】  図１は、腫瘍細胞導入後の日数と腫瘍体積を示す図である。
【図２】  図２は、導入後２日目のコントロールの腫瘍細胞（上）とＬＴβ−受容体インヒビターをトランスフェクトした腫瘍細胞（下）を示す図である。
【図３】  図３は、導入後９日目コントロールの腫瘍細胞（上）とＬＴβ−受容体インヒビターをトランスフェクトした腫瘍細胞（下）を示す図である。
【図１】
0003822822.tif 000002
【図２】
0003822822.tif 000003
【図３】
0003822822.tif 000004
(57)【特許請求の範囲】
【請求項１】
オーバーキャップを嵌合したスロットショルダーを有するエアゾール容器において、前記オーバーキャップが、スロットショルダーに強く嵌合される係合突起と、押しボタンをバルブステムから取り去った後、指、工具等によって引っ掛けて引っ張るための縁部とを有し、前記オーバーキャップは押しボタンの排出口と天面を覆うように構成されたバージンカバーと複数のブリッジによって連結されており、前記縁部は、バージンカバーとの間に指先を差し込む程度の隙間を有している、バージンカバー付エアゾール容器。
【発明の詳細な説明】
【０００１】
【発明の属する技術分野】
この発明は、バージンカバー付エアゾール容器に関し、さらに詳しくは使用予定者が使用する前に、第三者の開封、使用を阻止すると共に、使用後は分別廃棄が容易にできるバージンカバー付エアゾール容器に関する。
【０００２】
【従来の技術】
従来、エアゾール容器内に充填された内容物を、使用予定者が使用する前に、第三者の開封、使用を阻止する方法として、エアゾール容器本体とキャップとを、すべてシュリンク包装したエアゾール容器が市場で販売されている。このようなシュリンク包装は、包装に必要なシュリンクフィルムを別途準備しなければならず、又、シュリンク包装の工程が別途必要である。さらに包装容器リサイクル法により、シュリンクフィルム自体の素材表示が必要であり、生産過程において手数を必要とするだけでなく、生産コストが高くなるという欠点があった。
【０００３】
又、分別廃棄の際に、アルミニウム等の金属で造られたエアゾール容器本体と、合成樹脂製のキャップとを別々に分離して廃棄する必要があるが、エアゾール容器の使用中に容易に分離してしまい、逆に使用後には容易に分離できないという欠点があった。
【０００４】
この発明は、このような従来の課題に着目してなされたもので、使用予定者の使用前の開封、使用を阻止するバージン機能を有し、かつ使用前及び使用中は、エアゾール容器とオーバーキャップとが容易に外れず、使用後の廃棄の際には、容易に分離することができるバージンカバー付エアゾール容器を提供することを目的とする。
【０００５】
【課題を解決するための手段】
この課題を解決するため、請求項１記載の発明に対応する解決手段は、オーバーキャップを嵌合したスロットショルダーを有するエアゾール容器において、前記オーバーキャップが、スロットショルダーに強く嵌合される係合突起と、押しボタンをバルブステムから取り去った後、指、工具等によって引っ掛けて引っ張られることができる縁部とを有し、前記オーバーキャップは押しボタンの排出口と天面を覆うように構成されたバージンカバーと複数のブリッジによって連結されており、前記縁部は、バージンカバーとの間に指先を差し込む程度の隙間を有している、ことを特徴とするバージンカバー付エアゾール容器である。
【０００７】
【発明の実施の形態】
次に、この発明の実施の形態を図面に基づいて説明する。図１（ａ）及び（ｂ）において、１はエアゾール容器であり、このエアゾール容器１のスロットショルダー２にはオーバーキャップ３が嵌合されている。このオーバーキャップ３は、複数のブリッジ４で連結されたバージンカバー５が、オーバーキャップ３と一体成形により連結されている。このブリッジ４の幅は、切断容易な幅を呈しており、好ましくは０．５〜２ｍｍ程度が好ましい。又、バージンカバー５は、バルブステム９に嵌合された押ボタン６の排出口７及び天面を覆うように構成されており、図３に示すように、バージンカバー５の正面５ａの内側には、押ボタン６の排出口７が位置している。又、オーバーキャップ３と、バージンカバー５とは、ブリッジ４で連結されている以外は、隙間８が形成されている。この隙間８は指先を差し込むことができる程度の隙間、１０〜２０ｍｍ程度が好ましい。
【０００８】
次に、このオーバーキャップ３とエアゾール容器１とは、オーバーキャップ３の係合突起３ａが、エアゾール容器１のスロットショルダー２に強く嵌合されている。係合突起３ａとスロットショルダー２との嵌合強さは、使用予定者が開封、使用前にオーバーキャップ３を指で摘んで引張ってもオーバーキャップ３がスロットショルダー２から抜けない程度の強い嵌合であり、かつ使用後に、押しボタン６を外して、オーバーキャップ３の縁部３ｂに指、工具等を引掛けて引張った場合は、係合突起３ａがスロットショルダー２から容易に外れる程度の嵌合である。なお、図１及び図５に示すように、オーバーキャップ３の天面形状は平らな形状を呈しているが、天面が丸い通常の球状の天面であってもよい（図示せず）。又、オーバーキャップとエアゾール容器との嵌合構造は、上記以外に、オーバーキャップがエアゾール容器のビード部に嵌合される場合にも適用できることはいうまでもない。
【０００９】
次に、この発明の作用について説明する。まず、使用予定者が、本発明に係るエアゾール容器を開封して使用する場合は、図４に示すように指先を隙間８に差し込んで、バージンカバー５の端面５ｂに引掛ける。次に、指でバージンカバー５を上方に持ち上げて、オーバーキャップ３とバージンカバー５とを連結しているブリッジ４を切断する。そして、バージンカバー５をオーバーキャップ３から完全に取去ることにより、押ボタン６の押圧操作が可能になる。又、使用予定者が使用後にエアゾール容器１を廃棄する場合は、押ボタン６をバルブステム９から取り去った後、オーバーキャップ３の縁部３ｂに指、工具等を引掛けて引張ることにより、係合突起３ａがスロットショルダー２から容易に外れる。
【００１０】
【発明の効果】
以上説明してきたように、この発明によれば使用予定者の使用前の開封、使用を阻止するバージン機能を有し、かつ使用前及び使用中は、エアゾール容器とオーバーキャップとが容易に外れず、使用後の廃棄の際には容易に分離することができる効果を有する。
【図面の簡単な説明】
【図１】この発明に係るバージンカバー付エアゾール容器を示す正面図（図１（ａ））及び背面図（図１（ｂ））。
【図２】この発明に係るバージンカバー付エアゾール容器を示す平面図。
【図３】この発明に係るバージンカバー付エアゾール容器を示す縦断面図。
【図４】この発明に係るバージンカバー付エアゾール容器のバージンカバーを外している状態を示す断面図。
【図５】この発明に係るバージンカバー付エアゾール容器を示す斜視図。
【符号の説明】
１  エアゾール容器
２  スロットショルダー
３  オーバーキャップ
４  ブリッジ
５  バージンカバー
【図１】
0003822456.tif 000002
【図２】
0003822456.tif 000003
【図３】
0003822456.tif 000004
【図４】
0003822456.tif 000005
【図５】
0003822456.tif 000006